(57)【特許請求の範囲】
【請求項１】
遊技動作を制御するための制御基板と、前記制御基板を格納する第１ケース及び第２ケースと、前記第２ケースの背面側を覆うように配置されると共に、遊技機に固定されるベースとを備え、前記第１ケースに設けられた封止部を、封止部材により前記ベースに設けられた封止固定片に固定するようにした遊技機の制御基板ユニットにおいて、
前記ベースの１対の対辺のうち一方の対辺に、前記封止固定片を設け、また、同じく前記１対の対辺のうち他方の対辺に、前記第２ケースに設けられたケース側封印シール貼着部に対向するベース側封印シール貼着部を設け、前記第１ケースと前記第２ケースとを前記第２ケースの背面から第１締結部材により互いに固定し、前記ケース側封印シール貼着部と前記ベース側封印シール貼着部とを互いに第２締結部材により固定すると共に、前記締結部材を封印するため、封印シールを、前記第２締結部材の頭部を隠蔽するように貼着したことを特徴とする遊技機の制御基板ユニット。
【請求項２】
前記封印シールを、さらに前記ケース側封印シール貼着部と前記ベース側封印シール貼着部とを封印するため、前記ケース側封印シール貼着部と前記ベース側封印シール貼着部とにわたって貼着したことを特徴とする請求項１記載の遊技機の制御基板ユニット。
【請求項３】
前記封印シールを、さらに前記第２締結部材の先端部を隠蔽するように貼着したことを特徴とする請求項２記載の遊技機の制御基板ユニット。
【発明の詳細な説明】
【技術分野】
【０００１】
本発明は、遊技を制御する制御基板をケース内に格納した遊技機の制御基板ユニットに関する。
【背景技術】
【０００２】
従来、スロットマシン、パチンコ機等の遊技機の制御基板ユニットにおいては、遊技を制御するための制御基板を透明な前、後のケース内に格納すると共に、締め方向しか回せないワンウェイネジ等で構成される封止部材をもって、前、後のケースに設けた封止部を互いに固定することによって、両ケースを封止して、制御基板の不正改造を防止するようにしている（例えば、特許文献１参照）。
【０００３】
【特許文献１】特開２００４−２０２２０３号公報
【発明の開示】
【発明が解決しようとする課題】
【０００４】
しかし、上記特許文献１に記載された遊技機の制御基板ユニットにおいては、両ケースの一辺に設けた封止部をワンウェイネジにより封止しているだけであるため、両ケースの一辺に相対する他辺、すなわちワンウェイネジにより封止されていない方の他辺側を、不正に開けて制御基板が不正に改造されたり操作されるおそれがある。このような不正を確実に防止する対策としては、両ケースの１対の対辺に封止部を設け、両封止部を封止部材により封止することが考えられる。しかし、このようにすると、両ケースを封止するための構造が複雑になると共に、高価なワンウェイネジを多数使用しなければならず、コストの上昇を招くこととなる。
【０００５】
本発明は、上述のような課題に鑑み、簡単な構成で、ケースを不正に開けるような不正行為を確実に防止することができるようにした遊技機の制御基板ユニットを提供することを目的とする。
【課題を解決するための手段】
【０００６】
上記課題を解決するため、遊技動作を制御するための制御基板と、前記制御基板を格納する第１ケース及び第２ケースと、前記第２ケースの背面側を覆うように配置されると共に、遊技機に固定されるベースとを備え、前記第１ケースに設けられた封止部を、封止部材により前記ベースに設けられた封止固定片に固定するようにした遊技機の制御基板ユニットにおいて、前記ベースの１対の対辺のうち一方の対辺に、前記封止固定片を設け、また、同じく前記１対の対辺のうち他方の対辺に、前記第２ケースに設けられたケース側封印シール貼着部に対向するベース側封印シール貼着部を設け、前記第１ケースと前記第２ケースとを前記第２ケースの背面から第１締結部材により互いに固定し、前記ケース側封印シール貼着部と前記ベース側封印シール貼着部とを互いに第２締結部材により固定すると共に、前記締結部材を封印するため、封印シールを、前記第２締結部材の頭部を隠蔽するように貼着する。この構成により、制御基板を格納した状態の第１、２ケースの１対の対辺のうち一方の対辺が、封止部材によりベースに設けた封止固定片に、また、同じく１対の対辺のうち他方の対辺が、締結部材により固定されると共に、締結部材が封印シールにより封印されるため、締結部材を外して、第２ケースをベースから取り外したり、第１ケースを開けたりする等の不正行為を確実に防止することができる。仮に、締結部材が外された場合には、封印シールが剥がされた痕跡または封印シールに孔が開けられた痕跡が残るため、不正行為を確実に発見することができる。また、高価な封止部材を数多く使用する必要性がないので、構成が簡単であり、かつコストの上昇を最小限に抑えることができる。
【０００７】
さらに、本発明にかかる遊技機の制御基板ユニットにおいては、前記封印シールを、さらに前記ケース側封印シール貼着部と前記ベース側封印シール貼着部とを封印するため、前記ケース側封印シール貼着部と前記ベース側封印シール貼着部とにわたって貼着する。この構成により、仮に、ケース側封印シール貼着部とベース側封印シール貼着部との互いの締結が外された場合には、封印シールに孔が開けられた痕跡に加え、封印シールが切れた痕跡、または剥がされた痕跡がケース側封印シール貼着部または／及びベース側封印シール貼着部に残るため、不正行為をより確実に発見することができる。
【０００８】
さらに、本発明にかかる遊技機の制御基板ユニットにおいては、前記封印シールを、さらに前記第２締結部材の先端部を隠蔽するように貼着する。この構成により、締結部材が先端部側から不正に外されるような行為を確実に防止することができる。仮に、締結部材が先端部側から外された場合には、締結部材の先端部を隠蔽する部分に孔が開けられた痕跡が残るため、不正行為をより確実に発見することができる。
【発明の効果】
【０００９】
上記構成により、本発明に係わる遊技機の制御基板ユニットにおいては、第１、２ケースをベースから取り外したり、第１ケースを開けたりする等の不正行為を確実に防止することができ、かつ構成を簡単にしてコストの上昇を最小限に抑えることができる。
【発明を実施するための最良の形態】
【００１０】
以下、本発明の一実施形態を、図１〜図９に基づいて説明する。図１は、本発明を適用した遊技機の正面図、図２は、遊技機の裏面図、図３は、後方から見た制御基板ユニットの分解斜視図、図４は、後方から見た組み付け途中の制御基板ユニットの斜視図、図５は、斜め後方から見た制御基板ユニットの斜視図、図６は、制御基板ユニットの裏面図、図７、８及び図９は、要部の拡大縦断面図である。なお、以下の説明では、図１において図面手前側、図２において図面奥側を「前側または表面側」とし、図１において図面奥側、図２において図面手前側を「後側または裏面側」とし、図１において左側、図２において右側を「左方」とし、図１において右側、図２において左側を「右方」とする。
【００１１】
図１に示すように、遊技機１は、遊技施設に据え付けられる外枠２内に遊技盤３が嵌め込まれると共に、遊技盤３の後側に遊技に係わる数字や図柄等の演出情報が表示される表示装置（図示略）が配設されることによって構成され、前面右下部に設けられた操作ハンドル４を時計方向へ回転操作することによって、前面に設けられた球貯留皿５に貯留されている遊技球が発射装置（図示略）から遊技盤３の表面に設けられ、かつ多数の遊技釘が植設されたほぼ円形の遊技領域３１に打ち込まれることによって所定の遊技を行うことができる。
【００１２】
なお、本実施形態において、遊技機１をパチンコ機として説明するが、本発明においては、遊技機１を遊技媒体がメダル（コインを含む）とするスロットマシンとしても良い。
【００１３】
図２に示すように、遊技機１の裏側には、内部に遊技を統括的に制御する主制御基板６０を格納した主制御基板ユニット６と、主制御基板６０の命令に基づいて表示装置、遊技機１の裏側に設けられたスピーカ７、ランプ（図示略）等を制御する副制御基板８０を格納した副制御基板ユニット８と、主制御基板６０の命令に基づいて入賞時等の払出球数を制御する払出制御基板９０を格納した払出制御基板ユニット９等が配設されている。
【００１４】
図３に示すように、主制御基板ユニット６は、多数のコネクタ６０２、集積回路６０１を実装し、遊技を統括的に制御する前記主制御基板６０と、主制御基板６０を格納する透明合成樹脂製の第１ケース６１及び第２ケース６２と、第２ケース６２の前側（背面側）を覆うように配置されると共に、遊技盤３の裏側に固定される透明合成樹脂製のベース６３とを含む。
【００１５】
第１ケース６１は、正面視ほぼ横長の矩形をなして前面が開口する箱状をなすと共に、左辺（図２〜図６において右側の側片）には、ベース６３の左辺に設けられた後述の封止固定片６３５の後面に対向する円筒状の封止部６１１が上下方向に４個並設されている。封止部６１１は、封止部材をなす締め方向しか回せないワンウェイネジ１０（図９参照）をもって、ベース６３の封止固定片６３５に締結される。第１ケース６１は、封止部６１１がベース６３の封止固定片６３５に固定されることによって、ベース６３から分離することは実質的に不可能になる。なお、各封止部６１１は、互いに工具を用いて切断可能に繋がった形態で第１ケース６１の左辺に連設されている。
【００１６】
第２ケース６２は、正面視で第１ケース６１とほぼ同一寸法で、かつ後面が開口する箱状をなして、第１ケース６１の後面との間に主制御基板６０を挟み込んだ状態で、前方から第１締結部材をなす複数のネジ１３により第１ケース６１の前面に固定される。これにより、主制御基板６０は、第１ケース６１と第２ケース６２との間の内部空間に格納される。
【００１７】
第２ケース６２の右辺には、ベース６３の右辺に設けられた後述のベース側封印シール貼着部６３２の前面に対向する前方が開口する箱状のケース側封印シール貼着部６２１が突設されている。
【００１８】
ケース側封印シール貼着部６２１は、封印シール１２が貼着可能な平坦な面を有し、かつ平坦な後面に設けられた２個の取付孔６２２に第２締結部材をなすネジ１１を後方からそれぞれ挿入して、ベース側封印シール貼着部６３２に設けた締結孔６３３に螺合して締め付けることによって、ベース側封印シール貼着部６３２に締結固定される。
【００１９】
図７、８に示すように、ケース側封印シール貼着部６２１の内側には、ケース側封印シール貼着部６２１の後面の内側から前方（図７において右方、図８において上方）、すなわちベース側封印シール貼着部６３２における締結孔６３３へ対向するように突出し、かつ内部に取付孔６２２を形成する円筒状のボス部６２４が２個設けられる。取付孔６２２は、専用のドライバーを使用しない限り容易にネジ１１を回せないように、ネジ１１の頭部が完全に隠れる程度に深く形成される。
【００２０】
ベース６３は、正面視で第１、２ケース６１、６２とほぼ同一寸法であって、締結部材（図示略）により遊技盤３の裏側に固定される。ベース６３の１対の対辺のうち一方の右辺には、ケース側封印シール貼着部６２１の前面に対向し、かつネジ１１によりケース側封印シール貼着部６２１に締結固定されるベース側封印シール貼着部６３２が突設され、また、同じく１対の対辺のうち他方の左辺には、第１ケース６１の各封止部６１１の前面に対向し、かつワンウェイネジ１０により封止部６１１に締結固定される封止固定片６３５が突設されている。
【００２１】
ベース側封印シール貼着部６３２は、封印シール１２が貼着し得るように、前面及び側面が平坦に形成されている。ベース側封印シール貼着部６３２には、ケース側封印シール貼着部６２２における各取付孔６２２にそれぞれ対向し、かつネジ１１の先端部が螺合可能な２個の締結孔６３３が設けられている。
【００２２】
ベース６３の封止固定片６３５には、第１ケース６１の各封止部６１１の前面にそれぞれ対向し、かつワンウェイネジ１０の先端部が螺合可能で、かつ前方が閉鎖された封止孔６３１が上下方向に４個並設されている。
【００２３】
図９に示すように、封止固定片６３５の後面には、ステンレス製の板状のワッシャー１４と、合成樹脂製のワッシャーカバー１５が設けられる。ワッシャー１４は、各封止孔６３１にそれぞれ重合する開口を有し、開口には、開口の周縁から開口の中心に向かって突出する複数の突起が設けられている。ワッシャーカバー１５は、ワッシャー１４の各開口と重合する開口を有し、封止固定片６３５との間にワッシャー１４を挟み込むようにして封止固定片６３５の後面に固着される。第１ケース６１の封止部６１１内に挿入されるワンウェイネジ１０は、ワッシャーカバー１５及びワッシャー１４の各開口を貫通して、ベース６３の封止孔６３１に螺合する。この状態においては、ワンウェイネジ１０（最下部のワンウェイネジ１０を参照）のくびれ部１０１が、ワッシャー１４の開口に設けられた突起に対して抜け方向に係合することによって、ワンウェイネジ１０が仮に締め付け方向と反対方向へ回転させられても、ワンウェイネジ１０は、空回りするだけで、封止固定片６３５の封止孔６３１から抜けることはない。
【００２４】
次に、主制御基板ユニット６の組立て要領について説明する。先ず、主制御基板６０を、第１ケース６１の後面と第２ケース６２の前面との間の内部空間に格納した状態で、図４に示すように、ネジ１３により第２ケース６２を第１ケース６１の前面に固定する。
【００２５】
次に、第２ケース６２の上下に突設された側面視ほぼＬ字型の各係合爪６２３を、ベース６３の上下に設けられた各切り欠き孔６３４にそれぞれ進入させた状態で、内部空間に主制御基板６０を格納した第１ケース６１及び第２ケース６２を左方へスライドさせて、第１ケース６１の封止部６１１をベース６３の封止孔６３１、また、ケース側封印シール貼着部６２１をベース側封印シール貼着部６３２にそれぞれ対向させる。
【００２６】
上述の状態で、第１ケース６１の左辺に設けた４個の封止部６１１のうち１個の封止部６１１（本実施形態においては最下部の封止部６１１）内に仮保持されたワンウェイネジ１０を、ベース６３の封止孔６３１に螺合して第１ケース６１の封止部６１１を封止固定片６３５に固定すると共に、ネジ１１を、ケース側封印シール貼着部６２１の取付孔６２２に挿入してベース側封印シール貼着部６３２の締結孔６３３に螺合することによって、ケース側封印シール貼着部６２１をベース側封印シール貼着部６３２に締結固定する。これにより、ベース６３は、第２ケース６２の前面（背面）を覆うように、すなわち、第１ケース６１と第２ケース６２とを互いに固定するためのネジ１３を前側から閉塞するようにして、第２ケース６２に固定される。したがって、ベース６３を第２ケース６２の前面に固定した状態においては、ベース６３を第２ケース６２から取り外さない限り、第１ケース６１と第２ケース６２とを分離することは実質的に不可能である。
【００２７】
さらに、ネジ１１、及びケース側封印シール貼着部６２１とベース側封印シール貼着部６３２とを封印するため、封印シール１２を、平面視コ字型に折り曲げ（図８参照）、ケース側封印シール貼着部６２１とベース側封印シール貼着部６３２とにわたり、かつ、ケース側封印シール貼着部６２１の取付孔６２２の後側及びベース側封印シール貼着部６３２の締結孔６３３の前側、すなわちネジ１１の頭部及び先端部を隠蔽するように貼着する。そして、最後に、ベース６３を遊技盤３の裏側に固定する。なお、両封印シール貼着部６２１、６３２がネジ１１により互いに動かないように固定されているため、制御基板ユニット６を搬送したり遊技機１に取り付けたりする最中、両封印シール貼着部６２１、６３２の互いの位置がずれて、封印シール１２が切れるおそれはない。
【００２８】
上述により、本実施形態においては、第１ケース６１と第２ケース６２との間の内部空間に主制御基板６０を格納した状態で、第１ケース６１の左辺に設けた封止部６１１を、ワンウェイネジ１０によりベース６３の左辺に設けた封止固定片６３５に締結固定し、また、第２ケース６２の右辺に設けたケース側封印シール貼着部６２１を、ネジ１１によりベース６３の右辺に設けたベース側封印シール貼着部６３２に締結固定すると共に、ネジ１１、及び両封印シール貼着部６２１、６３２を互いに封印シール１２によって封印するため、第１、２ケース６１、６２をベース６３から取り外したり、第１ケース６１を開けたりする等の不正行為を確実に防止することができる。仮に、ケース側封印シール貼着部６２１とベース側封印シール貼着部６３２との互いの締結が外された場合には、封印シール１２が切れた痕跡、または剥がされた痕跡がケース側封印シール貼着部６２１または／及びベース側封印シール貼着部６３２に残るため、不正行為を容易かつ確実に発見することができる。また、ネジ１１が頭部側（または先端部側）から外された場合には、封印シール１２が剥がされた痕跡及び封印シール１２におけるネジ１１の頭部を隠蔽する部分（またはネジ１１の先端部を隠蔽する部分）に孔が開けられた痕跡が残るため、不正行為を確実に発見することができる。さらには、高価なワンウェイネジ１０を数多く使用する必要性がないので、構成が簡単であり、かつコストの上昇を最小限に抑えることができる。
【００２９】
以上、本発明の実施形態について説明したが、本発明の要旨を逸脱しない範囲内で、本実施形態に対して、次のような種々の変形や変更を施すことが可能である。
（ｉ）両封印シール貼着部６２１、６３２を互いに固定するための締結部材をネジ１１に代えて、軸状の先端に係合爪を有する合成樹脂製の係合ピン等にする。さらには、締結部材をなすネジ１１または係合ピンを、ベース側封印シール貼着部６３２の前面から挿入して、ケース側封印シール貼着部６２１に別途設けた締結孔に螺合または係合する。
（ii）封止部６１１の数を適宜変更する。
（iii）第１ケース６１の封止部６１１をベース６３の封止固定片６３５に固定するための封止部材を、ワンウェイネジ１０に代えて合成樹脂製の係合ピンとする。
（iv）ケース側封印シール貼着部６２１を、第１ケース６１の右辺に設ける。
（ｖ）図１０に示すように、封印シール１２Ａを、平面視でＬ字型に折り曲げて、ネジ１１の頭部を隠蔽すると共に、両封印シール貼着部６２１、６３２の境目にかかるように貼着する。このようにした場合には、封印シール１２Ａを小さくすることができる。
（vi）図１１に示すように、封印シール１２Ｂを、ネジ１１の頭部及びその付近のみを隠蔽するように、ケース側封印シール貼着部６２１の後面に貼着する。なお、上記(ｉ)のように、両封印シール貼着部６２１、６３２を互いに固定するための締結部材を、ベース側封印シール貼着部６３２の前面から挿入して、ケース側封印シール貼着部６２１に別途設けた締結孔に螺合または係合する場合は、封印シール１２Ｂは、ベース側封印シール貼着部６３２の前面に貼着される。このようにした場合には、封印シール１２Ｂをより小さくすることができる。
（vii）本発明を、副制御基板ユニット、払出制御基板ユニットに適用する。
【図面の簡単な説明】
【００３０】
【図１】図１は、本発明を適用した遊技機の正面図である。
【図２】遊技機の裏面図である。
【図３】後側から見た制御基板ユニットの分解斜視図である。
【図４】後方から見た組み付け途中の制御基板ユニットの斜視図である。
【図５】斜め後方から見た制御基板ユニットの斜視図である。
【図６】制御基板ユニットの裏面図である。
【図７】図６におけるVII−VII線拡大断面図である。
【図８】図６におけるVIII−VIII線拡大断面図である。
【図９】図６におけるIX−IX線拡大断面図である。
【図１０】他の実施形態を示す図８と同様な部位の拡大断面図である。
【図１１】さらに他の実施形態を示す図８と同様な部位の拡大断面図である。
【符号の説明】
【００３１】
１  遊技機
２  外枠
３  遊技盤
４  操作ハンドル
５  球貯留皿
６  主制御基板ユニット
７  スピーカ
８  副制御基板ユニット
９  払出制御基板ユニット
１０  ワンウェイネジ（封止部材）
１１  ネジ（第２締結部材）
１２、１２Ａ、１２Ｂ  封印シール
１３  ネジ（第１締結部材）
１４  ワッシャー
１５  ワッシャーカバー
３１  遊技領域
６０  主制御基板
６１  第１ケース
６２  第２ケース
６３  ベース
８０  副制御基板
９０  払出制御基板
１０１  くびれ部
６０１  集積回路
６０２  コネクタ
６１１  封止部
６２１  ケース側封印シール貼着部
６２２  取付孔
６２３  係合爪
６２４  ボス部
６３１  封止孔
６３２  ベース側封印シール貼着部
６３３  締結孔
６３４  切り欠き孔
６３５  封止固定片
【図１】
0005192256.tif 000002
【図２】
0005192256.tif 000003
【図３】
0005192256.tif 000004
【図４】
0005192256.tif 000005
【図５】
0005192256.tif 000006
【図６】
0005192256.tif 000007
【図７】
0005192256.tif 000008
【図８】
0005192256.tif 000009
【図９】
0005192256.tif 000010
【図１０】
0005192256.tif 000011
【図１１】
0005192256.tif 000012